(57)【要約】【課題】防災用に備えた蓄電池が、災害時に寿命切れになっていることを防ぐことが可能な防災用倉庫を提供する。【解決手段】本発明の防災用倉庫１０では、屋外灯１７に給電中の蓄電池２１の電圧降下率が基準値より大きくなっている場合にそのことを報知するようになっている。これにより、寿命切れが近い蓄電池２１の交換が促され、災害時に蓄電池２１が寿命切れになっていることを防ぐことができる。しかも、蓄電池２１の劣化が進行するに従って報知態様が段階的に変わるので、効果的に電池交換を促すことができる。【選択図】図３
2017206809.tif 000002
【特許請求の範囲】
【請求項１】
太陽電池パネルと、前記太陽電池パネルにて蓄電される蓄電池と、夜間にのみ前記蓄電池から給電されて自動点灯する屋外灯とを備える防災用倉庫であって、
前記屋外灯に給電中の前記蓄電池の電圧降下率が、予め定められた基準値より大きいか否かを判定する劣化判定手段と、
前記電圧降下率が前記基準値より大きい場合に、そのことを報知する報知手段とを備える防災用倉庫。
【請求項２】
前記屋外灯を含む複数の負荷と、
前記屋外灯が自動点灯してから前記劣化判定手段による判定が終了する迄の検出期間中は、前記蓄電池から受電可能な負荷を前記屋外灯を含む一定の負荷に制限し、前記検出期間の経過後には、任意の前記負荷を前記蓄電池から受電可能にするタイムスケジューラーとを備える請求項１に記載の防災用倉庫。
【請求項３】
前記蓄電池の出力電圧を１００［Ｖ］の交流電圧に変換するインバータ回路と、前記インバータ回路の出力に任意の充電式電気機器を接続するためのコンセントとを備え、前記タイムスケジューラーは、予め定められた一定期間に限り前記インバータ回路を前記蓄電池から受電可能にする請求項２に記載の防災用倉庫。
【請求項４】
防災用倉庫の内部に設けられている屋内灯と、
前記タイムスケジューラーとは無関係に、前記屋内灯を前記蓄電池に接続可能とする手動スイッチとを備える請求項２乃至３の何れか１の請求項に記載の防災用倉庫。
【請求項５】
前記基準値が複数設定され、
前記報知手段は、前記電圧降下率が各前記基準値を超える毎に報知態様を段階的に変えて報知を行う請求項１乃至４の何れか１の請求項に記載の防災用倉庫。
【請求項６】
防災用倉庫の外部から視認可能な位置に配置された報知用ＬＥＤを前記報知手段として備える請求項１乃至５の何れか１の請求項に記載の防災用倉庫。
【請求項７】
防災用倉庫の外面に防災を意味する表示部が設けられ、前記屋外灯は前記表示部を照らすように配置されている請求項１乃至６の何れか１の請求項に記載の防災用倉庫。
【発明の詳細な説明】
【技術分野】
【０００１】
本発明は、防災用具を収容しておく防災用倉庫に関する。
【背景技術】
【０００２】
防災用倉庫として、太陽電池パネルと蓄電池と屋外灯とを備えて、夜間に屋外灯が蓄電池から受電して自動点灯するものが知られている（例えば、特許文献１参照）。
【先行技術文献】
【特許文献】
【０００３】
【特許文献１】特開２０１４−１８９９６４号公報（段落［００１９］，［００２４］）
【発明の概要】
【発明が解決しようとする課題】
【０００４】
しかしながら、従来の防災用倉庫では、防災用に備えた蓄電池が、災害時に寿命切れになっていて十分な電力供給を行えない事態が起こり得た。
【０００５】
本発明は、上記事情に鑑みてなされたもので、防災用に備えた蓄電池が、災害時に寿命切れになっていることを防ぐことが可能な防災用倉庫の提供を目的とする。
【課題を解決するための手段】
【０００６】
上記目的を達成するためになされた請求項１の発明は、太陽電池パネルと、前記太陽電池パネルにて蓄電される蓄電池と、夜間にのみ前記蓄電池から給電されて自動点灯する屋外灯とを備える防災用倉庫であって、前記屋外灯に給電中の前記蓄電池の電圧降下率が、予め定められた基準値より大きいか否かを判定する劣化判定手段と、前記電圧降下率が前記基準値より大きい場合に、そのことを報知する報知手段とを備える防災用倉庫である。
【０００７】
請求項２の発明は、前記屋外灯を含む複数の負荷と、前記屋外灯が自動点灯してから前記劣化判定手段による判定が終了する迄の検出期間中は、前記蓄電池から受電可能な負荷を前記屋外灯を含む一定の負荷に制限し、前記検出期間の経過後には、任意の前記負荷を前記蓄電池から受電可能にするタイムスケジューラーとを備える請求項１に記載の防災用倉庫である。
【０００８】
請求項３の発明は、前記蓄電池の出力電圧を１００［Ｖ］の交流電圧に変換するインバータ回路と、前記インバータ回路の出力に任意の充電式電気機器を接続するためのコンセントとを備え、前記タイムスケジューラーは、予め定められた一定期間に限り前記インバータ回路を前記蓄電池から受電可能にする請求項２に記載の防災用倉庫である。
【０００９】
請求項４の発明は、防災用倉庫の内部に設けられている屋内灯と、前記タイムスケジューラーとは無関係に、前記屋内灯を前記蓄電池に接続可能とする手動スイッチとを備える請求項２乃至３の何れか１の請求項に記載の防災用倉庫である。
【００１０】
請求項５の発明は、前記基準値が複数設定され、前記報知手段は、前記電圧降下率が各前記基準値を超える毎に報知態様を段階的に変えて報知を行う請求項１乃至４の何れか１の請求項に記載の防災用倉庫である。
【００１１】
請求項６の発明は、防災用倉庫の外部から視認可能な位置に配置された報知用ＬＥＤを前記報知手段として備える請求項１乃至５の何れか１の請求項に記載の防災用倉庫である。
【００１２】
請求項７の発明は、防災用倉庫の外面に防災を意味する表示部が設けられ、前記屋外灯は前記表示部を照らすように配置されている請求項１乃至６の何れか１の請求項に記載の防災用倉庫である。
【発明の効果】
【００１３】
蓄電池が劣化すると蓄電可能な容量が減少するので、同じ負荷が接続されている状態下では、劣化が進むに従って、蓄電池の電圧降下率（即ち、蓄電池の出力電圧の単位時間当りの降圧量）が大きくなる。そして、請求項１の防災用倉庫では、屋外灯に給電中の蓄電池の電圧降下率が基準値より大きくなっている場合にそのことが報知される。これにより、寿命切れが近い蓄電池の交換が促され、災害時に蓄電池が寿命切れになっていることを防ぐことができる。
【００１４】
請求項２の防災用倉庫では、屋外灯が自動点灯してから蓄電池の劣化の判定が終了する迄の検出期間中は、蓄電池から受電可能な負荷が、屋外灯を含む一定の負荷に制限される。また、検出期間の経過後には、任意の負荷が蓄電池から受電可能になる。これにより、毎日、日没後に同じ負荷条件で電圧降下率が検出されて判定され、蓄電池の劣化状態を正確に判断することが可能になる。
【００１５】
請求項３の防災用倉庫では、蓄電池から受電して作動するインバータ回路を備えたことにより、通常は、商用電源で充電される任意の充電式電気機器を蓄電池からの電力によって充電することができる。ここで、充電式電気機器の充電が完了していても、インバータ回路が作動しているとそのインバータ回路自体が電力を消費することになるが、タイムスケジューラーによりインバータ回路が蓄電池から受電可能な期間が制限されているので、無駄な電力消費を抑えることができる。
【００１６】
実際に災害が発生した状況下では蓄電池の劣化の監視は不要になり、夜間に防災用倉庫を使用するときには、防災用倉庫内の照明が必要になる。これらに対し、請求項４の防災用倉庫では、タイムスケジューラーとは無関係に、手動スイッチにより屋内灯をオンして収容空間を照らすことができるので利便性に優れる。
【００１７】
請求項５の防災用倉庫によれば、蓄電池の劣化が進行するに従って報知態様が段階的に変わるので、電池交換を効果的に促すことができる。
【００１８】
請求項６の防災用倉庫では、蓄電池の劣化を報知する報知用ＬＥＤが防災用倉庫の外部から視認可能な位置に配置されているので、逐一、防災用倉庫を開かずに、蓄電池の劣化を容易に確認することができる。
【００１９】
請求項７の防災用倉庫では、屋外灯が防災用倉庫の外面に設けられた防災を意味する表示部を照らすので、夜間の災害時に容易に防災用倉庫を見つけることができる。
【図面の簡単な説明】
【００２０】
【図１】本発明の実施形態に係る防災用倉庫の斜視図
【図２】（Ａ）防災用倉庫の側面図、（Ｂ）防災用倉庫の正面図
【図３】防災用倉庫に備えた電気回路の回路図
【図４】点灯制御プログラムのフローチャート
【図５】劣化判別プログラムのフローチャート
【図６】蓄電池の出力電圧の推移を示すグラフ
【発明を実施するための形態】
【００２１】
以下、本発明の一実施形態を図１〜図６に基づいて説明する。図１には、本実施形態の防災用倉庫１０の外観が示されている。この防災用倉庫１０の本体部分は、一般には所謂「物置」として市販されているものと同じ構造をなしている。具体的には、防災用倉庫１０は、全体が直方体状をなし、前面に２枚の引戸１２Ａ，１２Ａを有する。それら引戸１２Ａ，１２Ａの外面には、この倉庫１０が防災用であることを表示する表示部１３が備えられている。なお、引戸１２Ａ，１２Ａには、錠装置１２Ｋが備えられているが、常に解錠されている。
【００２２】
防災用倉庫１０の前面のうち引戸１２Ａ，１２Ａより上側の縁部には、その横方向の中央に屋外灯１７が取り付けられている。屋外灯１７は、ＬＥＤを発光源として備え、例えば、下方に向けて光を出射する構造をなし、その光の一部によって表示部１３を照射する。これにより、防災用倉庫１０を離れた位置から視認した際に、表示部１３を容易に読み取ることができ、屋外灯１７からの直接光は看者の目に入らない。
【００２３】
防災用倉庫１０の上面には、太陽電池パネル１５（「太陽電池モジュール」ともいう）が取り付けられている。太陽電池パネル１５の受光面の面積は、防災用倉庫１０の上面の面積に比べて例えば１／１０以下になっていて、防災用倉庫１０の上面のうち一側面寄り位置に配置されている。また、太陽電池パネル１５は、支持脚部１５Ｋにより効率良く太陽光を受けることが可能な姿勢に保持されている。
【００２４】
防災用倉庫１０のうち太陽電池パネル１５に近い側の側面には、制御ボックス１６が取り付けられている。また、制御ボックス１６の一側面は回動扉１６Ｆになっている。なお、制御ボックス１６の上面は一側面側に向かって下るように傾斜している。
【００２５】
図２（Ａ）に示すように、制御ボックス１６の内部には、充放電コントローラ２０、蓄電池２１、インバータ回路２２及び電圧降下率検出回路２３とが収容されている。また、太陽電池パネル１５から延びたケーブル１５Ｃ（図１参照）が制御ボックス１６内に引き込まれて充放電コントローラ２０に接続されている。
【００２６】
図２（Ｂ）に示すように、防災用倉庫１０内の天井面の前縁部には、その横方向の中央に屋内灯１８が取り付けられ、両端部に操作スイッチ１９，１９が設けられている。なお、屋内灯１８は、屋外灯１７と同様にＬＥＤを発光源としている。
【００２７】
制御ボックス１６が取り付けられた防災用倉庫１０の側壁の内面には中継ボックス３０が取り付けられている。また、側壁に形成された図示しない貫通孔に通したハーネスが制御ボックス１６と中継ボックス３０とを連絡している。そして、中継ボックス３０に備えた図示しない端子台を介して充放電コントローラ２０、蓄電池２１、屋外灯１７，屋内灯１８等とが接続されて、図３に示した電気回路が構成されている。以下、この電気回路について詳説する。
【００２８】
太陽電池パネル１５の正負の電極間には、充放電コントローラ２０を介して、蓄電池２１と、本発明に係る「複数の負荷」としての、屋外灯１７と屋内灯１８とインバータ回路２２とが並列接続されている。換言すれば、電源としての太陽電池パネル１５及び蓄電池２１の正負の電極間に、屋外灯１７等の複数の負荷が並列接続されている。そして、蓄電池２１より太陽電池パネル１５の出力電圧が高い場合には、太陽電池パネル１５の出力電圧が各負荷に印加され、逆に、太陽電池パネル１５より蓄電池２１の出力電圧が高い場合には、蓄電池２１の出力電圧が各負荷に印加される。即ち、夜間は、蓄電池２１の出力電圧が各負荷に印加される。なお、太陽電池パネル１５及び蓄電池２１の負極は、グランドに接続されている。
【００２９】
太陽電池パネル１５及び蓄電池２１の正負の電極間には、各負荷と共にスイッチが直列接続されている。具体的には、屋内灯１８に対応してタイマースイッチ２５が設けられ、屋外灯１７に対応して充放電コントローラ２０に内蔵された屋外灯スイッチ２９が設けられ、インバータ回路２２に対応してタイムスケジューラー２６の内蔵スイッチ２６Ｓ１が設けられている。このタイマースイッチ２５は、通常はオフ状態になっていて、防災用倉庫１０内の１対の操作スイッチ１９，１９の何れかが手動操作されると、所定時間（例えば、３分）に亘ってオン状態が維持され、所定時間の経過後にオフする。なお、タイマースイッチ２５は、オン状態になっているときには電力を消費し、太陽電池パネル１５及び蓄電池２１にとっての負荷になる。
【００３０】
タイムスケジューラー２６は、上記内蔵スイッチ２６Ｓ１の他にも複数の内蔵スイッチ２６Ｓ２，２６Ｓ３，・・・を有し、後述する検出期間を除いた時間帯で、予め定められたタイムスケジュールに従って各内蔵スイッチ２６Ｓ１，２６Ｓ２，２６Ｓ３，・・・をオンオフする。これにより、任意の負荷を、太陽電池パネル１５及び蓄電池２１に導通接続したり、断絶することができる。そのために、タイムスケジューラー２６は例えば図示しないマイコンを備えて電力を常時消費し、この点において、タイムスケジューラー２６も太陽電池パネル１５及び蓄電池２１にとっての負荷になる。
【００３１】
インバータ回路２２は、例えばマイコンで複数のＦＥＴをスイッチングして直流を交流に変換する一般的な回路構成を有する。また、インバータ回路２２の出力は、中継ボックス３０に設けられたコンセント３１に接続されている。そして、そのコンセント３１には、例えば、災害時に必要になる充電式の無線通話機２７（本発明の「充電式電気機器」に相当する）から延びたプラグが接続されている。ここで、コンセント３１に無線通話機２７等の負荷が接続されていない状態でも、インバータ回路２２は、ＦＥＴをオンオフしているので電力を消費する。これに鑑み、タイムスケジューラー２６は、インバータ回路２２を作動させる時間を一定時間（例えば、２時間）に制限している。
【００３２】
充放電コントローラ２０には、マイコン２０Ｍと、太陽電池パネル１５の発電量Ｐ１を検出する電力量検出回路２８とが備えられている。そして、マイコン２０Ｍが、例えば図４に示した点灯制御プログラムＰＧ１を所定周期（例えば、１０分）で実行して、電力量検出回路２８の検出結果に基づいて屋外灯スイッチ２９をオンオフ制御する。
【００３３】
即ち、点灯制御プログラムＰＧ１が実行されると、最初に、ＦＬＧ１が「１」になっているか否かをチェックする（Ｓ１０）。ここで、ＦＬＧ１が「１」になっていない場合は（Ｓ１０でＮＯ）、屋外灯１７が点灯していないことを意味し、その場合は、太陽電池パネル１５の発電量Ｐ１が、第１閾値Ｋ１以下であるか否かをチェックする（Ｓ１１）。そして、太陽電池パネル１５の発電量Ｐ１が第１閾値Ｋ１以下であれば（Ｓ１１でＹＥＳ）、夜になったと判断して屋外灯スイッチ２９をオンして屋外灯１７を点灯しかつ（Ｓ１２）、ＦＬＧ１を「１」にセットしてから（Ｓ１３）、この点灯制御プログラムＰＧ１を抜ける。一方、太陽電池パネル１５の発電量Ｐ１が第１閾値Ｋ１以下でなければ（Ｓ１１でＮＯ）、夜になっていないと判断して直ちにこの点灯制御プログラムＰＧ１を抜ける。
【００３４】
一方、最初に、ＦＬＧ１が「１」になっているか否かをチェックしたときに（Ｓ１０）、ＦＬＧ１が「１」になっている場合は（Ｓ１０でＹＥＳ）、屋外灯１７が点灯していることを意味し、その場合は、太陽電池パネル１５の発電量Ｐ１が、第２閾値Ｋ２以上であるか否かを判別する（Ｓ１４）。そして、太陽電池パネル１５の発電量Ｐ１が第２閾値Ｋ２以上であれば（Ｓ１４でＹＥＳ）、夜が明けていると判断して屋外灯スイッチ２９をオフして屋外灯１７を消灯しかつ（Ｓ１５）、ＦＬＧ１を「０」にリセットして（Ｓ１６）、この点灯制御プログラムＰＧ１を抜ける。一方、太陽電池パネル１５の発電量Ｐ１が第２閾値Ｋ２以上でなければ（Ｓ１４でＮＯ）、夜が明けていないと判断して直ちにこの点灯制御プログラムＰＧ１から抜ける。
【００３５】
これにより、屋外灯１７は、夜間にのみ蓄電池２１から受電して自動点灯する。なお、第１閾値Ｋ１より第２閾値Ｋ２は大きな値に設定されていて、これにより、日没時及び日の出時に、屋外灯スイッチ２９のオンオフが頻繁に切り替わることが防がれている。
【００３６】
図３に示すように、蓄電池２１から屋外灯１７への導電ラインの途中には、電圧降下率検出回路２３が接続されている。電圧降下率検出回路２３は、図示しない電圧検出回路及びマイコンと３色ＬＥＤ２４とを備えている。その３色ＬＥＤ２４は、図１及び図２に示すように、制御ボックス１６のうち防災用倉庫１０の前方を向いた面に取り付けられている。
【００３７】
マイコンは、屋外灯スイッチ２９がオンしたことをトリガにして図５に示した劣化判別プログラムＰＧ２を実行する。劣化判別プログラムＰＧ２が実行されると、蓄電池２１の出力電圧を第１電圧Ｅ１として検出し（Ｓ２０）、次いでタイマーを起動して（Ｓ２１）、そのタイマーが一定時間Ｔ１（例えば、１時間）を計時したら（Ｓ２２でＹＥＳ）、蓄電池２１の出力電圧を第２電圧Ｅ２として検出する（Ｓ２３）。そして、これら第１電圧Ｅ１と第２電圧Ｅ２と一定時間Ｔ１とから、単位時間当たりの蓄電池２１の出力電圧の降下量を電圧降下率Ｒ１（＝（Ｅ１−Ｅ２）／Ｔ１）として演算する（Ｓ２４）。
【００３８】
そして、電圧降下率Ｒ１が第１基準値Ｘ１未満であれば（Ｓ２５でＹＥＳ）、３色ＬＥＤ２４を緑色に点灯させ（Ｓ２７）、電圧降下率Ｒ１が第１基準値Ｘ１以上で第２基準値Ｘ２未満であれば（Ｓ２５でＮＯ、Ｓ２６でＮＯ）、３色ＬＥＤ２４を黄色に点灯させ（Ｓ２８）、電圧降下率Ｒ１が第２基準値Ｘ２以上であれば（Ｓ２５でＮＯ、Ｓ２６でＹＥＳ）、３色ＬＥＤ２４を赤色に点灯させて（Ｓ２９）、この劣化判別プログラムＰＧ２から抜ける。即ち、タイマースイッチ２５は、毎日、屋外灯１７が点灯してから一定時間Ｔ１（例えば、１時間）が経過する迄の間に、蓄電池２１の電圧降下率の判定を行って、その判定結果を３色ＬＥＤ２４を用いて報知する。
【００３９】
なお、本実施形態では、タイマースイッチ２５のうち劣化判別プログラムＰＧ２のステップＳ２０〜Ｓ２６を実行しているときのマイコンが、本発明に係る劣化判定手段に相当し、劣化判別プログラムＰＧ２のステップＳ２７〜Ｓ２９を実行しているときのマイコンと３色ＬＥＤ２４とが本発明に係る報知手段に相当する。また、屋外灯１７が点灯してからタイマースイッチ２５による判定が終わるまでの期間が上記した検出期間に相当する。
【００４０】
本実施形態の防災用倉庫１０の構成に関する説明は以上である。この防災用倉庫１０は、地震や水害等の災害からの避難場所に設置され、ヘルメット、救急箱、防寒具、ラジオ、非常食等の防災用品を収容して使用される。そして、日中に太陽電池パネル１５により発電を行って蓄電池２１を充電し、夜間に蓄電池２１により屋外灯１７を点灯する動作を毎日繰り返す。
【００４１】
ここで、図６に示すように、１日の蓄電池２１の出力電圧の推移が示されている。蓄電池２１の出力電圧は、日出前に最低になり、日出後に太陽電池パネル１５による充電が開始されてから徐々に高くなる。なお、日中も、電圧降下率検出回路２３やタイムスケジューラー２６やタイムスケジューラー２６にて太陽電池パネル１５に接続されている電気機器等が作動するが、それらの消費電力量に比べて太陽電池パネル１５による発電量が多いので蓄電池２１が充電されていく。そして、日中に蓄電池２１の充電が完了して蓄電池２１の出力電圧が一定になる。また、日が沈むと屋外灯１７が点灯し、蓄電池２１の電力を消費する。
【００４２】
ここで、蓄電池２１が劣化すると蓄電可能な容量が減少するので、同じ負荷が接続されている状態下では、劣化が進むと、図６の破線に示すように蓄電池２１の電圧降下率Ｒ１が大きくなる。これに対し、本実施形態の防災用倉庫１０では、日没後、一定の検出期間の間は、毎日、屋外灯１７と電圧降下率検出回路２３とタイムスケジューラー２６とからなる限られた負荷のみが蓄電池２１が電力を受けれるように制限して、その検出期間における蓄電池２１の電圧降下率を電圧降下率検出回路２３が検出し、その電圧降下率の大きさに応じた色で３色ＬＥＤ２４を発光させる。
【００４３】
これにより、防災用倉庫１０の管理者は、防災用倉庫１０の外側から３色ＬＥＤ２４を視認して、蓄電池２１の劣化状態を確認することができる。具体的には、３色ＬＥＤ２４が緑色に点灯している場合は、電圧降下率Ｒ１が第１基準値Ｘ１未満であり、蓄電池２１の劣化が進んでいない判断することできる。また、３色ＬＥＤ２４が黄色に点灯している場合は、電圧降下率Ｒ１が第１基準値Ｘ１以上、第２基準値Ｘ２未満であり、蓄電池２１の劣化が進んできているが猶予はあり、電池交換の準備をすることが促される。さらには、３色ＬＥＤ２４が赤色に点灯している場合は、電圧降下率Ｒ１が第２基準値Ｘ２以上で、蓄電池２１の寿命切れが近いので、早急に蓄電池２１を交換するように促される。
【００４４】
このように本実施形態の防災用倉庫１０によれば、寿命切れが近い蓄電池２１の交換が促され、災害時に蓄電池２１が寿命切れになっていることを防ぐことができる。しかも、蓄電池２１の劣化が進行するに従って報知態様が段階的に変わるので、効果的に電池交換を促すことができる。また、毎日、日没後に同じ負荷条件で電圧降下率Ｒ１を検出して判定するので、蓄電池２１の劣化状態を正確に判断することが可能になる。さらには、蓄電池２１の劣化を報知する３色ＬＥＤ２４が防災用倉庫１０の外部から視認可能な位置に配置されているので、逐一、防災用倉庫１０を開かずに、蓄電池２１の劣化を容易に確認することができる。また、蓄電池２１から受電して作動するインバータ回路２２を備えたことにより、通常は、商用電源で充電される任意の充電式電気機器を蓄電池２１からの電力によって充電することができる。
【００４５】
なお、実際に災害が発生した状況下では、蓄電池２１の劣化の監視は不要になり、夜間に防災用倉庫１０を使用するときには、防災用倉庫１０内の照明が必要になる。これらに対し、この防災用倉庫１０では、タイムスケジューラー２６とは無関係に、操作スイッチ１９の手動操作により屋内灯１８をオンして防災用倉庫１０内を照らすことができるので利便性に優れる。
【００４６】
［他の実施形態］
本発明は、前記実施形態に限定されるものではなく、例えば、以下に説明するような実施形態も本発明の技術的範囲に含まれ、さらに、下記以外にも要旨を逸脱しない範囲内で種々変更して実施することができる。
【００４７】
（１）前記実施形態の防災用倉庫１０では、屋外灯１７が防災用倉庫１０に固定されていたが、防災用倉庫１０の近傍にスタンド式の屋外灯を設けてもよい。
【００４８】
（２）前記実施形態の防災用倉庫１０では、外面に取り付けられた制御ボックス１６に充放電コントローラ２０，蓄電池２１等が収容されていが、制御ボックスを設けずに、防災用倉庫内に充放電コントローラ，蓄電池等を収容してもよい。
【００４９】
（３）なお、前記実施形態の防災用倉庫１０のように蓄電池２１の電圧降下率に基づいて蓄電池２１の劣化度合いを判定して報知する技術は、防災用倉庫１０以外のものに適用してもよい。具体的には、太陽電池パネルで充填した蓄電池で夜間に点灯する外灯に本発明の技術を適用してもよい。
【符号の説明】
【００５０】
１０    防災用倉庫
１３    表示部
１５    太陽電池パネル
１７    屋外灯
１８    屋内灯
１９    操作スイッチ
２１    蓄電池
２２    インバータ回路
２３    電圧降下率検出回路（劣化判定手段，報知手段）
２４    ３色ＬＥＤ（報知手段）
２６    タイムスケジューラー
２７    無線通話機（充電式電気機器）
３１    コンセント
ＰＧ１  点灯制御プログラム
ＰＧ２  劣化判別プログラム
Ｒ１    電圧降下率
Ｘ１    第１基準値
Ｘ２    第２基準値
【図１】
2017206809.tif 000003
【図２】
2017206809.tif 000004
【図３】
2017206809.tif 000005
【図４】
2017206809.tif 000006
【図５】
2017206809.tif 000007
【図６】
2017206809.tif 000008